(57)【要約】【課題】オーバーフロー流路から漏れ出た水で床が濡れたりするのを防止する。【解決手段】洗面台１０は、底部１７に排水口２２を有するボウル部１２と、排水口２２の下流側を閉塞可能な排水栓３７と、オーバーフロー流路１５と、を備える。オーバーフロー流路１５は、排水口２２の下流側で且つ排水栓３７の上流側にオーバーフロー入り口２７を有し、排水栓３７の下流側にオーバーフロー出口４７を有している。洗面台１０は、オーバーフロー流路１５に連通し、ボウル部１２内に水を流すことが可能な位置に、連通口５２を設けている。【選択図】図２
2020045695.tif 000002
【特許請求の範囲】
【請求項１】
底部に排水口を有するボウル部と、
前記排水口の下流側を閉塞可能な排水栓と、
前記排水口の下流側で且つ前記排水栓の上流側にオーバーフロー入り口を有するとともに前記排水栓の下流側にオーバーフロー出口を有し、前記排水口より上方で且つ前記ボウル部の上端より下方に流路部分を有し、前記オーバーフロー入り口から前記流路部分を経て前記オーバーフロー出口に至るオーバーフロー流路と、
前記オーバーフロー流路に連通し、前記ボウル部内に水を流すことが可能な位置に、連通口とを備える洗面台。
【請求項２】
前記ボウル部内に向けて下り勾配で傾斜する斜面部に、前記連通口を設けている請求項１に記載の洗面台。
【請求項３】
前記連通口を挟んで前記ボウル部内側とは反対側の位置に、前記水をせき止める壁部を設けている請求項１又は２に記載の洗面台。
【請求項４】
前記ボウル部内に水を吐出する水栓の筐体に、前記連通口を設けている請求項１から３までのいずれか１項に記載の洗面台。
【請求項５】
前記オーバーフロー流路の下流側に開閉弁を設けている請求項１から４までのいずれか１項に記載の洗面台。
【請求項６】
前記オーバーフロー流路を掃除する清掃部材が前記連通口に挿入されている請求項１から５までのいずれか１項に記載の洗面台。
【請求項７】
前記ボウル部内からの排水による給水とは別系路で前記オーバーフロー流路に水を送り込む給水部を備えている請求項１から６までのいずれか１項に記載の洗面台。
【請求項８】
前記排水栓の開閉を遠隔操作する操作部を備え、前記連通口に前記操作部を挿入して設けている請求項１から５までのいずれか１項に記載の洗面台。
【請求項９】
請求項１から７までのいずれか１項に記載の洗面台に備わる前記オーバーフロー流路を掃除する方法であって、
前記連通口を通して、清掃部材、洗浄剤及び水の少なくとも一つを前記オーバーフロー流路に導入し、前記オーバーフロー流路の掃除を行う掃除方法。
【請求項１０】
請求項７に記載の洗面台に備わる前記オーバーフロー流路を掃除する方法であって、
前記連通口を通して、清掃部材、洗浄剤及び水の少なくとも一つを前記オーバーフロー流路に導入することと、前記給水部から前記オーバーフロー流路に水を送り込むこととを実施して、前記オーバーフロー流路の掃除を行う掃除方法。
【発明の詳細な説明】
【技術分野】
【０００１】
本発明は、洗面台とその洗面台に備わるオーバーフロー流路の掃除方法に関する。
【背景技術】
【０００２】
特許文献１に開示の排水構造は、底部に排水口を有する洗面ボウルと、排水口の下流側に配置される閉塞弁と、閉塞弁の上流側にオーバーフロー排水口を有するとともに閉塞弁の下流側にオーバーフロー合流口を有するオーバーフロー配管と、を備えている。オーバーフロー配管は、上端に折り返し部分を有し、オーバーフロー排水口からオーバーフロー合流口にかけて屈曲して延びる形状になっている。
【０００３】
閉塞弁が閉塞されると、排水口から出た水は、オーバーフロー排水口からオーバーフロー配管内に流れ込み、折り返し部分を経て下流側に流れ、オーバーフロー合流口からさらに下流側に排出される。オーバーフロー流路の下流側には自封トラップが配置されており、自封トラップ内の圧力が一定の値に達すると、自封トラップの本体部分が開口して水が下水側に排出される。オーバーフロー配管内に形成され得る空気溜まりは自封トラップが開口して排出される。  
【先行技術文献】
【特許文献】
【０００４】
【特許文献１】特開２０１１−１１７２２９号公報
【発明の概要】
【発明が解決しようとする課題】
【０００５】
ところで、一般的な洗面台の排水構造には、自封トラップが設けられず、下流側に、封水式のトラップ配管を設けている。トラップ配管を設けたオーバーフロー配管には折り返し部などに通気口を設け、オーバーフロー配管内の空気溜まりを通気口から外部に排出するようにしている。
【０００６】
しかし、水がオーバーフロー排水口からオーバーフロー配管内に勢いよく流れ込み、オーバーフロー配管内における上流側の流量が下流側の流量を上回ると、通気口から外部に水が漏れ出る懸念がある。仮に、通気口から水が漏れ出ると、洗面台のキャビネット内に水が飛び散り、床が濡れるといった問題がある。
【０００７】
本発明は上記のような事情に基づいて完成されたものであって、オーバーフロー流路から漏れ出た水で床が濡れるのを防止することを課題とする。
【課題を解決するための手段】
【０００８】
本発明の洗面台は、底部に排水口を有するボウル部と、排水口の下流側を閉塞可能な排水栓と、オーバーフロー流路と、を備える。オーバーフロー流路は、排水口の下流側で且つ排水栓の上流側にオーバーフロー入り口を有するとともに排水栓の下流側にオーバーフロー出口を有し、排水口より上方で且つボウル部の上端より下方に流路部分を有し、オーバーフロー入り口から流路部分を経てオーバーフロー出口に至る。そして、洗面台は、オーバーフロー流路に連通し、ボウル部内に水を流すことが可能な位置に、連通口を備えるところに特徴を有する。
【０００９】
水がオーバーフロー流路に勢いよく流れ込むと、連通口から水が漏れ出ることがあるが、本発明の場合、連通口から出た水をボウル部内に流すことができるため、連通口から落下した水で床が濡れるのを防止することができる。
【図面の簡単な説明】
【００１０】
【図１】本発明の実施例１の洗面台において、キャビネット内の排水構造の断面図である。
【図２】洗面台の断面図である。
【図３】実施例２の洗面台において、連通口に挿入された操作部とその周辺部分の概略図である。
【図４】図３の操作部に連動する作動部とその周辺部分の概略図である。
【図５】実施例３の洗面台において、連通口を設けた筐体を破断した水栓の概略図である。
【図６】実施例４の洗面台において、排水配管内に開閉弁を設けた排水構造の概略図である。
【図７】実施例５の洗面台において、オーバーフロー流路の上流部を清掃部材で掃除する状態の概略図である。
【図８】実施例６の洗面台において、オーバーフロー流路の下流部を清掃部材で掃除する状態の概略図である。
【図９】実施例７の洗面台において、オーバーフロー流路に水を送り込む給水部を含んだ排水構造の概略図である。
【発明を実施するための形態】
【００１１】
本発明の好ましい形態を以下に示す。
（１）ボウル部内に向けて下り勾配で傾斜する斜面部に連通口を設けている。これによれば、連通口から出た水が斜面部に沿って流れたあとボウル部内に至ることができる。
（２）連通口を挟んでボウル部内側とは反対側の位置に、水をせき止める壁部を設けている。これによれば、連通口から出た水が壁部でせき止められ、床に落下するのを防止することができる。
（３）ボウル部内に水を吐出する水栓の筐体に、連通口を設けている。これによれば、連通口を目立ちにくくすることができる。
（４）オーバーフロー流路の下流側に開閉弁を設けている。これによれば、オーバーフロー流路の下流側を開閉弁で閉塞し、オーバーフロー流路に水を溜めて掃除などを行うことができる。
（５）オーバーフロー流路を掃除する清掃部材が連通口に挿入されている。このように連通口を利用することで、オーバーフロー流路を掃除することができる。さらに、連通口に清掃部材を常時設置しておくことにより、オーバーフロー流路の掃除の都度、清掃部材を用意する必要がなくなり、掃除の効率を高めることができる。
（６）ボウル部内からの排水による給水とは別系路でオーバーフロー流路に水を送り込む給水部を備えている。これによれば、例えば、オーバーフロー流路を掃除する際にオーバーフロー流路に所定量の水を強制的に送り込むことができる。
（７）排水栓の開閉を遠隔操作する操作部を備え、連通口に操作部を挿入して設けている。これによれば、連通口を利用して操作部を設置することができる。さらに、連通口を目立ちにくくすることができる。
（８）上記洗面台に備わるオーバーフロー流路を掃除する方法であって、連通口を通して、清掃部材、洗浄剤及び水の少なくとも一つをオーバーフロー流路に導入し、オーバーフロー流路の掃除を行う方法である。オーバーフロー流路は、排水口の下流側にオーバーフロー入り口を有することで意匠性が良い反面、使用者からアクセスしにくく掃除が難しいという問題がある。その点、上記方法によれば、連通口を利用することで、オーバーフロー流路の掃除を確実に行うことができる。
（９）上記（６）に記載の洗面台に備わるオーバーフロー流路を掃除する方法であって、連通口を通して、清掃部材、洗浄剤及び水の少なくとも一つをオーバーフロー流路に導入することと、給水部からオーバーフロー流路に水を送り込むこととを実施して、オーバーフロー流路の掃除を行う。これによれば、オーバーフロー流路に掃除を行うのに必要な量及び流速の水を確実に供給することができる。
【００１２】
＜実施例１＞
以下、本発明の実施例を図１及び図２を参照して説明する。実施例１の洗面台１０は、図１に示すように、キャビネット１１上に設置されるボウル部１２と、ボウル部１２に接続される排水配管１３と、排水配管１３内の排水流路１４に合流するオーバーフロー流路１５と、を備えている。
【００１３】
ボウル部１２は、陶器製の洗面ボウルであって、凹状のボウル面１６を有し、ボウル面１６の下面側に底部１７を設け、ボウル面１６の後面側に背部１８を設けている。ボウル面１６の上端開口の周縁部は、後部側に奥部１９を有し、奥部１９に、水栓２１を設けている。水栓２１から出た水は、ボウル面１６で受けられる。
【００１４】
図２に示すように、ボウル部１２は、底部１７の略中央部に、排水口２２を有し、排水口２２の周縁から下向きに突出する筒部２３を有している。筒部２３の内周面は、排水口２２へ向けて漸次口径が大きくなる拡開面部２４を構成している。
【００１５】
ボウル部１２は、筒部２３の後面側から底部１７及び背部１８にわたる外面領域に膨出して一体形成されるオーバーフロー上流管部２５を有している。オーバーフロー上流管部２５内は、オーバーフロー流路１５の上流部２６を構成している。上流部２６は、前端に、筒部２３の後面側を貫通して排水配管１３に臨むオーバーフロー入り口２７を有し、上端が奥部１９で閉塞されている。オーバーフロー上流管部２５は、上端寄りの後面側に、分岐接続口２８を設けている。オーバーフロー流路１５の上流部２６は、分岐接続口２８を介して、オーバーフロー流路１５の下流部２９と連通している。
【００１６】
排水配管１３は、上下方向に延びる円管状をなし、上端に、全周にわたって張り出すフランジ部３１を有し、上端寄りの外周面に、ねじ部３２を設けている。排水配管１３の下端は、略Ｓ字状に屈曲した封水式のトラップ配管３３（図１を参照）に接続されている。
【００１７】
排水配管１３は、筒部２３内に上方から挿入される。フランジ部３１は、筒部２３内に挿入された状態で、ボウル部１２の拡開面部２４に掛け止められる。ねじ部３２には環状のナット３４が螺合される。ナット３４は、ねじ部３２への締め付けによって筒部２３の下端に当接する。排水配管１３は、ナット３４とフランジ部３１との間に筒部２３が挟持された状態となることにより、ボウル部１２に取り付け固定される。
【００１８】
排水配管１３は、フランジ部３１とねじ部３２との間に、開口部３５を有している。開口部３５は、周方向に複数設けられ、オーバーフロー入り口２７を介してオーバーフロー流路１５と連通している。
【００１９】
排水配管１３は、ねじ部３２と重なる高さ位置に、径方向の厚肉部分を有し、その厚肉部分の内周上端に、径方向に沿った段付きの座部３６を有している。座部３６には、排水栓３７が離間可能に支持される。
【００２０】
排水栓３７は、円盤状の蓋状部材であって、座部３６に当接することで、排水口２２の下流側において排水配管１３の排水流路１４を閉塞する。排水栓３７が閉塞状態にあるときには、排水口２２から出た水は、オーバーフロー入り口２７からオーバーフロー流路１５に流入する。一方、排水栓３７が座部３６から離間した開放状態にあるときには、排水口２２から出た水は、排水配管１３の排水流路１４を直下方向に流れる。
【００２１】
排水栓３７は、中心部に、上下方向に延びる軸部材３８を貫通させている。軸部材３８は、上下中間部に、排水栓３７を取り付けており、さらに、上端部に、目皿３９を取り付け、下端部に、ヘアキャッチャー４１を取り付けている。目皿３９は、排水口２２を覆うとともに側面側の開口部分を通して排水口２２に水を通すことが可能な構造になっている。ヘアキャッチャー４１は、後述する合流接続口４２の下流側に位置し、水の通過を許容しつつ毛髪などを補集することが可能な構造になっている。
【００２２】
排水配管１３は、ねじ部３２の下方の後面側に、合流接続口４２を設けている。排水配管１３内の排水流路１４は、合流接続口４２を介して、オーバーフロー流路１５の下流部２９の出口（後述するオーバーフロー出口４７）と連通している。
【００２３】
オーバーフロー流路１５の下流部２９は、ボウル部１２とは別体の部材であるオーバーフロー管４３内に構成される。オーバーフロー管４３は、分岐接続口２８の内周部位に接続される第１継手管４４と、合流接続口４２の内周部位に接続される第２継手管４５と、上端部が第１継手管４４の下部側に嵌合して接続され、下端前部が第２継手管４５の後部側に嵌合して接続され、上端部から下端前部にかけて下向きに湾曲しつつ延びるオーバーフロー管本体４６と、から構成される。オーバーフロー流路１５の下流部２９は、合流接続口４２に臨む位置に、オーバーフロー出口４７を有している。
【００２４】
全体としてみると、オーバーフロー流路１５は、略Ｕ字の折り返し形状をなし、上流部２６がオーバーフロー入り口２７から底部１７に沿って後方に延びたあと背部１８に沿って立ち上がり、下流部２９が分岐接続口２８から後方に延びる流路部分を有し、流路部分から下向きに折り返され、折り返された先端に、オーバーフロー出口４７が位置して排水配管１３の排水流路１４に合流されるように構成される。
【００２５】
第２継手管４５は、全体が前後方向に延びる形態になっている。第１継手管４４は、前後方向に延びる直管部４８と、直管部４８の後端側から下向きに屈曲するエルボ形状部４９と、直管部４８の上面側から分岐して立ち上がる連通管部５１と、を有している。直管部４８は、底部１７の上方で且つ奥部１９の下方に位置し、オーバーフロー流路１５の折り返し部分の上面部を構成している。
【００２６】
連通管部５１は、上端部が奥部１９を貫通しており、奥部１９の上面に開口する連通口５２を有している。連通管部５１内は、オーバーフロー流路１５の支流部としての連通路５３とされ、連通口５２を介して大気に開放されている。連通管部５１は、途中に屈曲部５４を有している。屈曲部５４は、連通管部５１の立ち上げ方向と交差する方向に沿って配置され、内壁上面に水を当てることで、直管部４８側からの水の上昇を規制可能としている。
【００２７】
連通口５２が開口する奥部１９の上面は、ボウル部１２内（ボウル面１６）へ向けて漸次傾斜する斜面部５５を構成している。奥部１９は、斜面部５５の後端側に、前面壁を有する壁部５６を立設させている。壁部５６は、後面側でキャビネット１１の背板部分と当接している（図１を参照）。
【００２８】
本実施例１の洗面台１０の構造は上述のとおりであり、続いて、排水の流れを説明する。
排水栓３７が座部３６から離間し、排水配管１３の排水流路１４が閉塞されていない状態のとき、ボウル部１２内に生じた水は、排水口２２から、オーバーフロー流路１５を通過することなく、排水配管１３内を流下し、さらにトラップ配管３３内を通過して下水側へと排出される。トラップ配管３３の屈曲部分には水が溜まって封水が形成される。
【００２９】
一方、排水栓３７が座部３６に当接し、排水配管１３の排水流路１４における直下方向の流れが阻止される状態のとき、ボウル部１２内に生じた水は、排水口２２からオーバーフロー入り口２７を通してオーバーフロー流路１５に流れ込む。オーバーフロー流路１５に流入した水は、ボウル部１２内に溜まる水の水位に応じてオーバーフロー流路１５の上流部２６を上昇する。さらに、水は、分岐接続口２８を通してオーバーフロー流路１５の下流部２９に流入し、第１継手管４４の直管部４８内の内周下端に沿って下流部２９を流れることができる。
【００３０】
オーバーフロー流路１５の上流部２６に流入する水とトラップ配管３３内の封水部分との間に形成され得る空気溜まりは、連通口５２から外部に排出される。こうしてオーバーフロー流路１５が大気開放されて実質的に大気圧に保たれる間、水は、上流部２６から下流部２９へとスムーズに流れ、さらに下流部２９からオーバーフロー出口４７を通して排水配管１３の排水流路１４に合流され、最後は下水に排水される。
【００３１】
オーバーフロー管４３における直管部４８の内周下端の高さ位置は、ボウル部１２内に設定される最大水位Ｗ１（図１を参照）に相当する。ボウル部１２内の最大水位Ｗ１は、使用が想定される最大の水位を示し、ボウル部１２の上端より下方に設定される。ボウル部１２内には最大水位Ｗ１まで水を溜めることができ、ボウル部１２内で洗濯、洗顔、手洗いなどを行うことができる状態になる。
【００３２】
ところで、オーバーフロー流路１５の上流部２６に水が勢いよく流れ込み、排水速度が加速されている場合には、水は、直管部４８内を充満して連通管部５１内の連通路５３を上昇し、さらに連通管部５１の連通口５２から外部に排出される。連通口５２から出た水は、斜面部５５に沿って前方に流れ、斜面部５５の前端からボウル部１２内に落下する。仮に、水が連通口５２から後方に逆流しても、水は壁部５６の前面壁に当たって斜面部５５側に戻されるため、上記同様、ボウル部１２内に至ることができる。したがって、連通口５２から出た水が床に落下するのを防止することができる。
【００３３】
以上説明したように、本実施例１によれば、連通口５２がボウル部１２内の最大水位Ｗ１よりも上方で、且つ斜面部５５及び壁部５６によってボウル部１２内に水を流すことが可能な位置に設けられているため、オーバーフロー流路１５に水が勢いよく流入して連通口５２から漏れ出ても、漏れ出た水を斜面部５５からボウル部１２内に流すことができる。その結果、キャビネット１１の壁面や床が水で濡れるのを防止することができる。さらに、水が床に落下するのを防止する手段としての斜面部５５及び壁部５６を、いずれも既存の構造から大きな設計変更を伴うことなく設けることができるため、コストを安価に抑えることができる。
【００３４】
＜実施例２＞
図３及び図４は、本発明の実施例２を示す。実施例２は、連通口５２Ａに排水栓３７の開閉を遠隔操作するための操作部６１を挿入して設けており、この点で、実施例１とは異なる。その他は、実施例１と同様であるため、以下においては、実施例１と重複する説明を省略する。
【００３５】
操作部６１は、図３に示すように、上下方向に延びる棒状の部材であって、上端部に上方へ向けて拡開する摘み部６２を有し、下端部に、レリースワイヤ６３の端部を接続させている。使用者は、摘み部６２を摘みつつ操作部６１を押し引き操作することが可能とされている。
【００３６】
ボウル部１２は、奥部１９に、上下方向に貫通して斜面部５５に開口する取付孔６４を設けている。取付孔６４内には、略円筒状の操作部収容体６５が嵌合して挿入される。操作部収容体６５は、上端部に、径方向に張り出す鍔部６６を有している。鍔部６６は、斜面部５５の上面における取付孔６４の開口縁部に掛け止められる。操作部収容体６５は、下端部の外周に、外周ねじ部６７を有し、下端部の内周に、内周ねじ部６８を有している。操作部収容体６５は、外周ねじ部６７に固定ナット６９が締め付けられ、固定ナット６９と鍔部６６との間に奥部１９を挟み込むことにより、奥部１９に取り付け固定される。操作部収容体６５の上端開口は、連通口５２Ａを構成している。
【００３７】
オーバーフロー流路１５の下流部２９を形成するオーバーフロー管４３は、操作部６１との間に、連通管部５１Ａを有している。連通管部５１Ａは、直管部４８から分岐し、レリースワイヤ６３と並んで配置される基端管部７１と、レリースワイヤ６３を内側に挿通させる挿通管部７２と、挿通管部７２と基端管部７１とをつなぐ連絡管部７３と、を有している。なお、図３においては、オーバーフロー管４３、基端管部７１、連絡管部７３及び挿通管部７２を簡略化して図示している。
【００３８】
挿通管部７２の上端部は、操作部収容体６５内に挿入され、操作部収容体６５内に保持されたパッキン７４に当て止めされる。挿通管部７２と操作部収容体６５との間には、内周ねじ部６８に螺合した筒状のスペーサ７５を設けている。挿通管部７２は、スペーサ７５を介して操作部収容体６５に保持される。挿通管部７２は、下端部に、レリースワイヤ６３を上下摺動可能且つ液密に挿通する逆止弁７６を設けている。
【００３９】
オーバーフロー流路１５は、連通管部５１Ａ内から操作部収容体６５内を経て連通口５２Ａに至る連通路５３Ａを有している。逆止弁７６は、連通路５３Ａを流れる水が連通口５２Ａとは反対方向に排出されるのを防止する。
【００４０】
レリースワイヤ６３は、操作部６１の操作力を伝達する部材であって、図４に示すように、操作部６１とは反対側の端部に、排水配管１３の側面部を貫通して、排水流路１４に臨む作動部７７を有している。作動部７７は、排水配管１３内に固定された支持体７８に進退可能に支持され、ヘアキャッチャー４１の下面又は軸部材３８の下端を押動可能とされている。
【００４１】
作動部７７は、ロッド状をなし、操作部６１の押し引き動作に連動して排水配管１３内を上下動する。作動部７７が上昇すると、排水栓３７が作動部７７に押されて上昇して座部３６から離間し、開弁状態になる。一方、作動部７７が下降すると、排水栓３７が自重と、図示しない弾性部材の弾性との少なくとも何れかによって下降して座部３６に当接し、閉弁状態になる。なお、操作部６１による排水栓３７の遠隔操作方法及び作動部７７側の構造は、公知の方法を採用することができ、上記に限定されない。例えば、作動部７７は、排水栓３７に直接当接して排水栓３７の開閉を行うものであってもよい。
【００４２】
図３に示すように、操作部６１は操作部収容体６５内に遊挿されており、操作部６１と操作部収容体６５との間に、オーバーフロー流路１５の大気開放を可能となす通気部分を確保している。したがって、連通路５３Ａを通して連通口５２Ａから出た水は、実施例１と同様、斜面部５５に沿って流れてボウル部１２内に至ることができる。
【００４３】
本実施例２の場合、奥部１９の取付孔６４には操作部収容体６５が嵌着され、操作部６１の摘み部６２が連通口５２Ａの上方を覆うように配置されるため、連通口５２Ａが上方から見て摘み部６２に隠れて見えなくなる。このため、連通口５２Ａによってキャビネット１１上の意匠性が損なわれることがなく、外観の向上を図ることができる。
【００４４】
＜実施例３＞
図５は、本発明の実施例３を示す。実施例３は、水栓２１の外郭を構成する筐体７９に連通口５２Ｂを設けており、その点で実施例１とは異なる。その他は、実施例１と同様であるため、以下において、実施例１と重複する説明を省略する。
【００４５】
オーバーフロー管４３は、直管部４８の上面側から分岐して立ち上がり、上端部が奥部１９を貫通して水栓２１の筐体７９内に臨む連通管部５１Ｂを有している。連通管部５１Ｂは、実施例１と同様、屈曲部５４を有し、さらに上端部に、後方に屈曲して筐体７９の後面部に接続される接続部８１を有している。筐体７９は、後面部に、接続部８１を嵌合保持する嵌合孔８２を設けている。連通管部５１Ｂ内は、オーバーフロー流路１５の支流としての連通路５３Ｂとされ、筐体７９の後面部の下端側に、連通口５２Ｂを有している。
【００４６】
ここで、オーバーフロー流路１５から連通路５３Ｂに流れ込んだ水は筐体７９の連通口５２Ｂから外部に排出され、排出された水は斜面部５５に沿って流れ、ボウル部１２内に至ることができる。本実施例３の場合、水栓２１の筐体７９に連通口５２Ｂを設けたため、連通口５２Ｂを目立ちにくくすることができる。しかも、筐体７９の後面部に連通口５２Ｂを設けたため、使用者の視界に入りにくく、外観を損なうおそれが少ない。
【００４７】
＜実施例４＞
図６は、本発明の実施例４を示す。実施例４は、オーバーフロー流路１５の下流側に排水配管１３内の排水流路１４を開閉可能な開閉弁８３を有し、開閉弁８３を閉弁状態としてオーバーフロー流路１５を掃除することができるようになっている。その他の構造は、実施例１と同様である。
【００４８】
排水配管１３は、合流接続口４２の下方に、内側に張り出す着座部８４を有し、着座部８４の下方に、支持部材８５を取り付け固定している。開閉弁８３は、着座部８４に離着座する弁本体８６と弁本体８６から突出するガイド軸８７とを有している。ガイド軸８７は、レリースワイヤ６３Ｃの下端部に接続されている。レリースワイヤ６３Ｃの上端部は、奥部１９に設置された操作部６１Ｃに接続されている。開閉弁８３は、レリースワイヤ６３Ｃを介して操作部６１Ｃの押し引き操作に連動する。弁本体８６が着座部８４に当接することで排水流路１４が閉塞されて閉弁され、弁本体８６が着座部８４から離間することで排水流路１４が開放されて開弁される。なお、開閉弁８３は、公知の構造を採用することができ、上記構造に限定されない。
【００４９】
オーバーフロー流路１５を掃除する際、例えば、連通口５２からオーバーフロー流路１５内に、洗浄剤、好ましくは配管洗浄用の液状の洗浄剤を導入するとともに、開閉弁８３を閉止状態とし、オーバーフロー流路１５に水を充填貯留する。所定時間が経過し、オーバーフロー流路１５の汚れが内壁から取れた状態で、開閉弁８３を開弁状態とする。これにより、オーバーフロー流路１５の汚れを水とともに下水側に排出することができるようになる。
【００５０】
＜実施例５＞
図７は、本発明の実施例５を示す。実施例５は、連通口５２Ｄの形成位置が実施例１とは異なり、連通口５２Ｄからオーバーフロー流路１５に清掃部材８８を挿入してオーバーフロー流路１５を掃除することができるようになっている。その他の構造は、実施例１と同様である。
【００５１】
連通口５２Ｄは、オーバーフロー上流管部２５の上端を閉塞する奥部１９の前側部８９に設けられ、斜面部５５の前端寄りの位置に開口している。このため、連通口５２Ｄは、連通管部を介さずにオーバーフロー流路１５の上流部２６に直接連通することになる。
【００５２】
オーバーフロー流路１５の上流部２６を掃除する際、連通口５２Ｄから清掃部材８８が挿入される。清掃部材８８は、清掃用ブラシであって、把持部９１から延びる芯材部分に多数のブラシ毛９２を植設して構成される。把持部９１は、使用者が把持可能な構造になっている。各ブラシ毛９２は、オーバーフロー流路１５の上流部２６に挿入され、オーバーフロー上流管部２５の内壁に接することが可能な構造になっている。
【００５３】
オーバーフロー流路１５の上流部２６を掃除する際、連通口５２Ｄからオーバーフロー流路１５の上流部２６に清掃部材８８の各ブラシ毛９２を挿入し、連通口５２Ｄの外部に露出する把持部９１を摘みつつ清掃部材８８を回動、上下動などして操作する。これにより、オーバーフロー上流管部２５の内壁に各ブラシ毛９２が摺接し、内壁に付着した汚れを各ブラシ毛９２によって除去することができる。
【００５４】
ここで、オーバーフロー流路１５の上流部２６は、排水口２２の下流側に位置するオーバーフロー入り口２７から背部１８に沿って立ち上がる形状になっているため、使用者からアクセスしにくく掃除しづらいという事情がある。しかるに本実施例５によれば、清掃部材８８を挿入可能な連通口５２Ｄを利用することで、オーバーフロー流路１５の上流部２６を支障なく掃除することができる。
【００５５】
＜実施例６＞
図８は、本発明の実施例６を示す。実施例６は、連通口５２Ｅの形成位置が実施例１とは異なり、連通口５２Ｅに予め挿入された清掃部材８８Ｅによってオーバーフロー流路１５を掃除することができるようになっている。その他の構造は、実施例１と同様である。
【００５６】
オーバーフロー流路１５の下流部２９を形成するオーバーフロー管４３は、直管部４８からエルボ形状部４９に移行する領域の上面側から直立して奥部１９を貫通する連通管部５１Ｅを有している。連通管部５１Ｅは、上端に、奥部１９に設けた嵌合凹部９４に臨む連通口５２Ｅを有している。
【００５７】
清掃部材８８Ｅは、実施例５と同様、把持部９１及び各ブラシ毛９２を有する清掃用ブラシであるが、把持部９１に、連通口５２Ｅに通じて外部に開口する流出口９３を有している。この清掃部材８８Ｅは、把持部９１を嵌合凹部９４に嵌合して支持させ、各ブラシ毛９２をオーバーフロー管本体４６内に挿入した状態で、奥部１９に常時設置されている。
【００５８】
オーバーフロー流路１５内に形成され得る空気溜まり及びオーバーフロー流路１５から漏れ得る水は、把持部９１の流出口９３を通して外部に排出され、実施例１と同様、斜面部５５を流れてボウル部１２内に至ることができる。
【００５９】
オーバーフロー流路１５の下流部２９を掃除する際、実施例５と同様、把持部９１を操作することにより、オーバーフロー管本体４６の内壁に付着した汚れを各ブラシ毛９２で除去することができる。
【００６０】
実施例６によれば、オーバーフロー流路１５の下流部２９を掃除することができるのに加え、掃除の都度、清掃部材８８Ｅを用意する必要がなく、掃除の効率を高めることができる。
【００６１】
＜実施例７＞
図９は、本発明の実施例７を示す。実施例７は、オーバーフロー入り口２７からオーバーフロー流路１５に流れ込む給水とは別系路の給水部９５を備えており、オーバーフロー流路１５を掃除する際に、給水部９５からオーバーフロー流路１５に水を強制的に送り込むことができるようになっている。
【００６２】
連通管部５１Ｆは、直管部４８の上面部から直立して斜面部５５に開口する連通口５２Ｆを有している。給水部９５は、上水道からの給水管９６（概略図示）と、給水管９６に設けた逆流防止部９７とを備えている。給水管９６の給水口は、オーバーフロー管４３、例えば、連通管部５１Ｆに開口している。逆流防止部９７は、オーバーフロー流路１５から上水道への逆流を防止するものであって、例えば、逆止弁、吐水口空間、又はこれらを組み合わせた複合構造によって構成される。
【００６３】
オーバーフロー流路１５を掃除する際、連通口５２Ｆを蓋材９８で閉塞し、給水部９５からオーバーフロー流路１５に所定量の水を所定の流速で強制的に送り込む。これにより、オーバーフロー流路１５の内壁に付着した汚れを、給水部９５からの水圧と水流をもって、排出することができる。
【００６４】
ここで、給水部９５からの給水に先立って連通口５２Ｆからオーバーフロー流路１５に洗浄剤を導入しておくことができ、さらに、給水部９５による給水と実施例４〜６に記載の掃除方法とを適宜組み合わせることにより、オーバーフロー流路１５の汚れを確実に除去することができる。
【００６５】
＜他の実施例＞
以下、他の実施例を簡単に説明する。
（１）オーバーフロー流路を形成する配管は、全体がボウル部とは別体の部材で成形されるものであってもよい。逆に、オーバーフロー流路を形成する配管は、全体がボウル部と一体に成形されるものであってもよい。
（２）連通口は、ボウル部とは別体の部材であるキャビネット上のカウンター部分に開口するものであってもよい。
（３）斜面部を有していれば、各実施例から壁部を省略してもよい。逆に、壁部を有していれば、各実施例から斜面部を省略してもよい。
（４）実施例１においても、連通口からオーバーフロー流路に洗浄剤を導入し、オーバーフロー流路を掃除することが可能である。このように、連通口は、メンテナンス口として機能することができる。
（５）連通口は、ボウル部内に水を流すことが可能な位置にある壁面に開口する形態であればよく、例えば、ボウル部の後端上方に立設された前面壁（実施例１の壁部を含む）に設けられるものであってもよい。
（６）実施例７の給水部は、オーバーフロー流路の上流部と下流部のいずれか一方のみに水を送り込む構成であってもよい。
【符号の説明】
【００６６】
１０…洗面台
１２…ボウル部
１５…オーバーフロー流路
１７…底部
２１…水栓
２２…排水口
２７…オーバーフロー入り口
３７…排水栓
４７…オーバーフロー出口
５２、５２Ａ、５２Ｂ、５２Ｄ、５２Ｅ、５２Ｆ…連通口
５５…斜面部
５６…壁部
６１、６１Ｃ…操作部
７９…筐体  
８３…開閉弁
８８、８８Ｅ…清掃部材
９５…給水部
Ｗ１…最大水位
【図１】
2020045695.tif 000003
【図２】
2020045695.tif 000004
【図３】
2020045695.tif 000005
【図４】
2020045695.tif 000006
【図５】
2020045695.tif 000007
【図６】
2020045695.tif 000008
【図７】
2020045695.tif 000009
【図８】
2020045695.tif 000010
【図９】
2020045695.tif 000011